(57)【要約】【課題】照明装置において、端子台と点灯装置とを接続する電線が、光源ユニットを器具本体に固定するための部材と干渉しにくくする。【解決手段】照明装置は、外部から引き込まれる給電用の電線を引き込むための引き込み孔１１１が形成された本体面部１１０を有する器具本体１０１と、光源が設置された光源設置面３０１と、前記光源設置面３０１の反対の面であり、かつ、前記本体面部１１０に対向している面であり、前記電線を介して給電されることで前記光源を点灯させる長手状の点灯装置８００が設置された点灯装置設置面３０２とを有する光源ユニット３００と、前記本体面部１１０と前記点灯装置設置面３０２との間に形成された空間において、前記点灯装置８００の長手方向と直交する方向で前記点灯装置８００を挟むように対に設けられ、前記光源ユニット３００を前記器具本体１０１に固定している１対の固定機構２００とを備える。【選択図】図３
2019186234.tif 000002
【特許請求の範囲】
【請求項１】
外部から引き込まれる給電用の電線を引き込むための引き込み孔が形成された本体面部を有する器具本体と、
光源が設置された光源設置面と、前記光源設置面の反対の面であり、かつ、前記本体面部に対向している面であり、前記電線を介して給電されることで前記光源を点灯させる長手状の点灯装置が設置された点灯装置設置面とを有する光源ユニットと、
前記本体面部と前記点灯装置設置面との間に形成された空間において、前記点灯装置の長手方向と直交する方向で前記点灯装置を挟むように対に設けられ、前記光源ユニットを前記器具本体に固定している１対の固定機構と
を備える照明装置。
【発明の詳細な説明】
【技術分野】
【０００１】
本発明は、照明装置に関するものである。
【背景技術】
【０００２】
従来、天井に取り付けられる照明器具では、光源ユニットが取り付けられた枠ユニットが、天井面に取り付けられた本体ユニットに取り付けられる（例えば、特許文献１参照）。
【０００３】
枠ユニットを本体ユニットに取り付ける作業者は、まず、枠ユニットに備えられた吊り金具の位置が上側になるように枠ユニットを持ち、枠ユニットを本体ユニットに近づけて、吊り金具のフックを、本体ユニットの側板に設けた貫通孔内に挿入する。フックが貫通孔内に挿入された状態で、作業者が枠ユニットを下側に移動させると、フックが貫通孔の端部に引っ掛かり、吊り金具によって枠ユニットが本体ユニットから吊り下げられた状態となる。この仮吊り状態で、作業者は、本体ユニットに取り付けられた端子台と、光源ユニットに備えられた点灯装置のコネクタとの間を電線で接続する。そして、作業者は、枠ユニットの下部を本体ユニットに近づけるように、フックと貫通孔との係止部位を中心に枠ユニットを回転させる。そうすると、枠ユニットに備えられた取り付け金具の係止部の先端が、本体ユニットに備えられた保持バネが備える１対のバネ片の間に挿入され、係止部によって１対のバネ片が互いに離れる方向に押し広げられる。この状態から作業者が枠ユニットをさらに上側に押し込むと、１対のバネ片は、係止部の幅広部分を越えて、係止部の括れ部に係止するので、保持バネのバネ力によって枠ユニットが本体ユニットに取り付けられる。なお、枠ユニットが本体ユニットに取り付けられた状態では、吊り金具のフックは、貫通孔の端面よりも上側に位置し、フックと貫通孔とは係止していない。
【先行技術文献】
【特許文献】
【０００４】
【特許文献１】特開２０１４−１６５１４３号公報
【発明の概要】
【発明が解決しようとする課題】
【０００５】
従来の照明器具では、点灯装置のコネクタが保持バネの近くに配置されているため、端子台と点灯装置のコネクタとの間に接続される電線が保持バネと干渉するおそれがある。
【０００６】
従来の照明器具では、枠ユニットを本体ユニットに装着するための部材として４個の保持バネが用いられているが、枠ユニットを仮保持するための部材として、保持バネとは別の部材である吊り金具が用いられているため、枠ユニットを仮保持状態から装着状態へスムーズに移行させることができない。即ち、枠ユニットを容易に装着できない。また、枠ユニットが本体ユニットの側面を覆っているため、器具本体の一部を天井に形成された埋め込み穴に埋め込むような機種に適用できない。器具本体を天井に直接取り付けるような機種の場合には、枠ユニットの端部が天井材と干渉するおそれがある。
【０００７】
本発明は、点灯装置に接続される電線等の電気部材が、光源ユニットを器具本体に取り付ける際に他の部材と干渉しにくくすること、或いは、光源ユニットを容易に装着できるようにすることを目的とする。
【課題を解決するための手段】
【０００８】
本発明の一の態様に係る照明装置は、
外部から引き込まれる給電用の電線を引き込むための引き込み孔が形成された本体面部を有する器具本体と、
光源が設置された光源設置面と、前記光源設置面の反対の面であり、かつ、前記本体面部に対向している面であり、前記電線を介して給電されることで前記光源を点灯させる長手状の点灯装置が設置された点灯装置設置面とを有する光源ユニットと、
前記本体面部と前記点灯装置設置面との間に形成された空間において、前記点灯装置の長手方向と直交する方向で前記点灯装置を挟むように対に設けられ、前記光源ユニットを前記器具本体に固定している１対の固定機構と
を備える。
【発明の効果】
【０００９】
本発明では、光源ユニットを器具本体に固定する１対の固定機構が、点灯装置を挟むように配置される。このため、本発明によれば、電気部材が、光源ユニットを器具本体に取り付ける際に他の部材と干渉しにくくなる。
【図面の簡単な説明】
【００１０】
【図１】実施の形態１に係る照明装置の斜視図。
【図２】実施の形態１に係る照明装置の器具本体の側面図及び部分断面図。
【図３】実施の形態１に係る照明装置の器具本体の底面図。
【図４】実施の形態１に係る照明装置のバネ部材の斜視図。
【図５】実施の形態１に係る照明装置の爪付き部材の背面図。
【図６】実施の形態１に係る照明装置の爪付き部材の側面図。
【図７】実施の形態１に係る照明装置の爪付き部材の平面図。
【図８】実施の形態１に係る照明装置の光源ユニットの分解斜視図。
【図９】実施の形態１に係る照明装置の光源ユニットの部分断面図。
【図１０】実施の形態１に係る照明装置の光源ユニットの平面図。
【図１１】実施の形態１に係る照明装置の穴開き部材の斜視図。
【図１２】実施の形態１に係る照明装置の引っ掛け部材の正面図。
【図１３】実施の形態１に係る照明装置の引っ掛け部材の側面図。
【図１４】実施の形態１に係る照明装置の引っ掛け部材の平面図。
【図１５】実施の形態１に係る照明装置の摺動部材の正面図。
【図１６】実施の形態１に係る照明装置の摺動部材の側面図。
【図１７】実施の形態１に係る照明装置の摺動部材の平面図。
【図１８】実施の形態１に係る照明装置の押さえ部材の正面図。
【図１９】実施の形態１に係る照明装置の押さえ部材の側面図。
【図２０】実施の形態１に係る照明装置の押さえ部材の平面図。
【図２１】実施の形態１に係る照明装置の光源ユニットの引っ掛け部材がスライドする動作を示す図。
【図２２】実施の形態１に係る照明装置の光源ユニットの引っ掛け部材がスライドする動作を示す図。
【図２３】実施の形態１に係る照明装置を天井に取り付ける例を示す図。
【図２４】実施の形態１に係る照明装置を天井に取り付ける例を示す図。
【図２５】実施の形態１に係る照明装置の光源ユニットを器具本体に取り付ける手順を示す図。
【図２６】実施の形態１に係る照明装置の光源ユニットを器具本体に取り付ける手順を示す図。
【図２７】実施の形態１に係る照明装置の光源ユニットを器具本体に取り付ける手順を示す図。
【図２８】実施の形態１の変形例に係る照明装置の斜視図。
【図２９】実施の形態１の変形例に係る照明装置を天井に取り付ける例を示す図。
【図３０】実施の形態１の変形例に係る照明装置の斜視図。
【図３１】実施の形態１の変形例に係る照明装置を天井に取り付ける例を示す図。
【図３２】実施の形態２に係る照明装置の側面及び断面を示す図。
【図３３】実施の形態２に係る照明装置の部分拡大図。
【図３４】実施の形態２の比較例に係る照明装置の部分拡大図。
【図３５】実施の形態３に係る照明装置の部分断面図。
【図３６】実施の形態３に係る照明装置の部分拡大図。
【図３７】実施の形態３の変形例に係る照明装置の部分拡大図。
【図３８】実施の形態４に係る照明装置の部分断面図。
【発明を実施するための形態】
【００１１】
以下、本発明の実施の形態について、図を用いて説明する。なお、各図中、同一又は相当する部分には、同一符号を付している。実施の形態の説明において、同一又は相当する部分については、その説明を適宜省略又は簡略化する。装置、器具、部品等の構成について、その材質、形状、大きさ等は、本発明の範囲内で適宜変更することができる。
【００１２】
実施の形態１．
本実施の形態に係る装置の構成、本実施の形態に係る装置を組み立てる手順、本実施の形態の効果を順番に説明する。
【００１３】
＊＊＊構成の説明＊＊＊
図１を参照して、本実施の形態に係る装置である照明装置１００の構成を説明する。図１は、照明装置１００を斜め下方から見た図である。なお、本実施の形態の説明において、「上方」、「下方」、「側方」、「前方」、「後方」、「斜め上方」、「斜め下方」といった方向は、照明装置１００が天井に取り付けられる場合の方向を示している。照明装置１００は、壁等、天井以外の被取り付け部に取り付けられてもよい。
【００１４】
照明装置１００は、器具本体１０１と、器具本体１０１に装着される光源ユニット３００とを備える。本実施の形態では、光源ユニット３００が、器具本体１０１に着脱自在に取り付けられる。
【００１５】
主に図２及び図３を参照して、器具本体１０１の構成を説明する。図２は、器具本体１０１を側方から見た図、及び、器具本体１０１の一部を切断した断面を示す図である。なお、断面のハッチングは省略している。図３は、器具本体１０１を下方から見た図である。
【００１６】
器具本体１０１は、ボルト等の固定具により被取り付け部に取り付けられる。器具本体１０１は、正方形状の本体面部１１０と、この本体面部１１０の四辺から折り曲げられて形成される４つの側面部１２０と、本体面部１１０に取り付けられ、外部から引き込まれる給電用の電線がつなげられる端子台１３０とを備えている。
【００１７】
本体面部１１０には、光源ユニット３００を保持及び固定するためのバネ部材２１０及び爪付き部材２２０が取り付けられている。また、本体面部１１０には、端子台１３０に挿し込まれる電線を外部から引き込むための引き込み孔１１１と、器具本体１０１を被取り付け部に固定するボルト等の固定具を挿し込むための挿入孔１１２とが形成されている。なお、引き込み孔１１１は、本体面部１１０の中心に１つ、中心から数センチメートル離れた位置に１つ形成されている。挿入孔１１２は、これら２つの引き込み孔１１１に対して両側に１つずつ形成されている。具体的には、１つの挿入孔１１２が、本体面部１１０の中心の引き込み孔１１１から別の引き込み孔１１１がある方向とは９０度ずれた方向に設けられ、もう１つの挿入孔１１２が、本体面部１１０の中心の引き込み孔１１１から別の引き込み孔１１１がある方向とは−９０度ずれた方向に設けられている。引き込み孔１１１は、いずれも円形である。挿入孔１１２は、いずれも長穴であるが、互いの向きが９０度ずれた形になっている。
【００１８】
上記のように、本体面部１１０には、端子台１３０が設置される端子台設置面１０２が形成されている。即ち、器具本体１０１は、端子台設置面１０２を有する。端子台１３０は、外部から引き込まれる給電用の電線を接続するためのものである。端子台設置面１０２には、当該電線を外部から引き込むための貫通孔である引き込み孔１１１が設けられる。即ち、端子台設置面１０２は、電線引き込み面でもある。また、端子台設置面１０２には、器具本体１０１を外部に固定する固定具を挿入するための貫通孔である挿入孔１１２が設けられる。即ち、端子台設置面１０２は、固定具挿入面でもある。
【００１９】
側面部１２０は、本体面部１１０の側辺より外方向へ斜めに形成され、台形形状である傾斜部１２１と、傾斜部１２１の端部より本体面部１１０と平行に形成された水平受け部１２２と、水平受け部１２２の端部より傾斜部１２１と反対方向へ垂直に形成された光源受け部１２３とで構成されている。
【００２０】
バネ部材２１０は、図４に示すように、円弧部２１１と、固定部２１２と、先端部２１３とを有する。ここで、図４は、バネ部材２１０を斜め下方から見た図である。バネ部材２１０は、図３に示すように、固定部２１２がいずれか１つの側面部１２０に寄った状態で、互いの円弧部２１１の側面が対向するように本体面部１１０に２つ取り付けられている。
【００２１】
爪付き部材２２０は、図５及び図６及び図７に示すように、爪２２１と、係止部２２２とを有する。ここで、図５は、爪付き部材２２０を後方から見た図である。図６は、爪付き部材２２０を側方から見た図である。図７は、爪付き部材２２０を上方から見た図である。爪付き部材２２０は、図３に示すように、バネ部材２１０の固定部２１２が寄っている側面部１２０と対向する他の側面部１２０に寄った状態で、互いの側面が対向し、かつ、２つのバネ部材２１０のそれぞれに対向するように本体面部１１０に２つ取り付けられている。
【００２２】
対向するバネ部材２１０と爪付き部材２２０との間には、挿入孔１１２が設けられている。また、対向するバネ部材２１０と爪付き部材２２０とを結ぶ仮想の直線と平行に並ぶように、端子台１３０が引き込み孔１１１と直線状に配設されている。
【００２３】
主に図８及び図９及び図１０を参照して、光源ユニット３００の構成を説明する。図８は、光源ユニット３００を分解した図である。図９は、光源ユニット３００の一部を切断した断面を示す図である。図１０は、光源ユニット３００を上方から見た図である。
【００２４】
光源ユニット３００は、光源であるＬＥＤモジュール４００と、ＬＥＤモジュール４００が取り付けられたモジュール取り付け部５００と、ＬＥＤモジュール４００を覆うようにモジュール取り付け部５００に固定されるカバー部６００と、カバー部６００をモジュール取り付け部５００に固定する固定金具７００と、ＬＥＤモジュール４００を点灯させる点灯装置８００と、バネ部材２１０が挿入される穴開き部材２３０と、爪付き部材２２０に引っ掛けられる引っ掛け部材２４０とを備えている。光源ユニット３００は、さらに、引っ掛け部材２４０と組み合わせて使用される摺動部材２５０及び押さえ部材２６０を備えている。
【００２５】
ＬＥＤモジュール４００は、複数のＬＥＤと、正方形状であり、複数のＬＥＤが実装された基板とからなる。ＬＥＤモジュール４００は、モジュール取り付け部５００にネジにより固定されているが、接着等により固定されてもよい。図示していないが、本実施の形態では、ＬＥＤモジュール４００がモジュール取り付け部５００に４つ取り付けられている。なお、ＬＥＤモジュール４００を大きく構成して１つにしてもよいし、４つ以上に細かく分割してもよい。基板としては、正方形状のものに限らず、長方形状又はその他の形状に形成されたものが並べられてもよい。
【００２６】
モジュール取り付け部５００は、ＬＥＤモジュール４００が取り付けられる取り付け正面部５１０と、取り付け正面部５１０の外周部に平面視で「ロ」の字状に設けられ、カバー部６００の端部が挿し込まれるカバー受け部５２０とで構成されている。
【００２７】
取り付け正面部５１０は、四角形の板状であり、一方の面である光源設置面３０１には４つのＬＥＤモジュール４００が配設され、他方の面である点灯装置設置面３０２には１対の点灯装置８００、１対の穴開き部材２３０、１対の引っ掛け部材２４０が配列されている。点灯装置８００は、中央付近に長手方向の側面が対向するように並行する状態で２つ設置されている。穴開き部材２３０と引っ掛け部材２４０は、点灯装置８００に対して点灯装置８００の長手方向の側面が対向するカバー受け部５２０に寄った状態において点灯装置８００の短手方向の側面に対向するカバー受け部５２０にそれぞれ寄って配設されている。引っ掛け部材２４０は、先端がカバー受け部５２０より外側に突き出すようにスライド可能である。
【００２８】
上記のように、取り付け正面部５１０には、光源が設置される光源設置面３０１と、光源設置面３０１の反対の面であり、かつ、器具本体１０１の端子台設置面１０２に対向する面であり、長手状の点灯装置８００が設置される点灯装置設置面３０２とが形成されている。即ち、光源ユニット３００は、光源設置面３０１と、点灯装置設置面３０２とを有する。点灯装置８００は、器具本体１０１の端子台１３０を介して給電されることで光源を点灯させる。
【００２９】
カバー受け部５２０は、取り付け正面部５１０の側辺に配設されており、取り付け正面部５１０の側辺から点灯装置８００側に立ち上がった内側側面部５２１と、内側側面部５２１から取り付け正面部５１０と平行に外側に延びる水平側面部５２２と、水平側面部５２２の外側の端部より垂直にＬＥＤモジュール４００側に延びる外側側面部５２３とからなり、断面視で「コ」の字形状である。内側側面部５２１には、後述する固定金具７００の固定爪部７３０が挿し込まれる挿通孔５２４が形成されている。
【００３０】
カバー部６００は、一面が開口した箱形状であり、開口の奥にはカバー正面部６１０、開口の周りにはカバー正面部６１０から立ち上がるカバー側面部６２０が形成されている。図８に示すように、カバー側面部６２０の内側の面には、カバー部６００の開口の周縁寄りにカバー固定孔６２１が設けられており、カバー側面部６２０の外側の面には凸部６３０が形成されている。凸部６３０は、カバー受け部５２０の外側側面部５２３が下方から見えないように、外側側面部５２３の下側を隠す。
【００３１】
固定金具７００は、取り付け正面部５１０にネジで固定される固定正面部７１０と、固定正面部７１０につながり、固定正面部７１０よりも低い位置にある段差部７２０と、段差部７２０につながり、段差部７２０と同じ高さにあり、カバー固定孔６２１に嵌められる固定爪部７３０とを有している。段差部７２０は、光源ユニット３００が器具本体１０１に装着されたときに、図２に示した器具本体１０１の側面部１２０の光源受け部１２３に当たる。
【００３２】
点灯装置８００は、照明装置１００の外部から電力供給を受け、ＬＥＤモジュール４００に電力を供給し、複数のＬＥＤを点灯させる。点灯装置８００は、直方体形状に形成されており、取り付け正面部５１０のＬＥＤモジュール４００が取り付けられた面の反対面に配設される。
【００３３】
穴開き部材２３０には、図１１に示すように、バネ部材２１０の円弧部２１１が挿し込まれる穴２３１が形成されている。ここで、図１１は、穴開き部材２３０を斜め上方から見た図である。光源ユニット３００が仮保持されるときは、穴２３１にバネ部材２１０の先端部２１３が引っ掛けられる。光源ユニット３００が仮保持状態から装着状態に移行する過程では、穴２３１に対してバネ部材２１０の円弧部２１１が摺動する。穴開き部材２３０は、バネ部材２１０に対応するように取り付け正面部５１０に２つ並列に配設されている。
【００３４】
引っ掛け部材２４０は、図１２及び図１３及び図１４に示すように、爪付き部材２２０の爪２２１に引っ掛けられる先端部２４１と、先端部２４１から上方に傾斜してから鋭角に折れ曲がる折れ曲がり部２４２と、折れ曲がり部２４２につながり、下方に傾斜する斜行部２４３と、先端部２４１とは逆側の端部である幅広部２４４とを有する。ここで、図１２は、引っ掛け部材２４０を前方から見た図である。図１３は、引っ掛け部材２４０を側方から見た図である。図１４は、引っ掛け部材２４０を上方から見た図である。引っ掛け部材２４０は、爪付き部材２２０の爪２２１に引っ掛けられるものであり、爪付き部材２２０に対応するように取り付け正面部５１０に２つ並列に配設されている。
【００３５】
本実施の形態において、引っ掛け部材２４０は、１本の線状の金属材料を折り曲げ加工して一体成形されている。先端部２４１は、引っ掛け部材２４０の短手方向に沿って直線状に形成されている。折れ曲がり部２４２は、引っ掛け部材２４０の長手方向に沿って延びるように直線状に１対形成されている。１対の折れ曲がり部２４２は、先端部２４１の両端から後方に向かって互いに平行に延びている。斜行部２４３は、折れ曲がり部２４２に対応し、引っ掛け部材２４０の長手方向に沿って直線状に延びるように１対形成されている。１対の斜行部２４３は、対応する折れ曲がり部２４２から後方に向かって互いに平行に延びている。斜行部２４３につながる部分は、斜行部２４３に対応するように１対形成され、対応する斜行部２４３から後方に向かって、途中から互いの距離が徐々に広がり、一定の距離まで広がってからは当該一定の距離を維持するように延び、後端では９０度折れ曲がって互いに対向する位置まで延びている。上記一定の距離まで広がった箇所から、９０度折れ曲がって互いに対向する箇所までが幅広部２４４に相当する。
【００３６】
図１４に示したように、幅広部２４４の幅Ｗ２は、折れ曲がり部２４２及び斜行部２４３の幅Ｗ１よりも広くなっている。なお、折れ曲がり部２４２及び斜行部２４３の幅Ｗ１は、１対の折れ曲がり部２４２又は斜行部２４３の間の最短距離に、引っ掛け部材２４０を形成する金属材料の直径の２倍の長さを足した値である。また、折れ曲がり部２４２及び斜行部２４３の幅Ｗ１は、先端部２４１の長さに等しい。
【００３７】
摺動部材２５０は、図１５及び図１６及び図１７に示すように、上方へ傾斜した誘導部２５１を有する。ここで、図１５は、摺動部材２５０を前方から見た図である。図１６は、摺動部材２５０を側方から見た図である。図１７は、摺動部材２５０を上方から見た図である。
【００３８】
本実施の形態において、摺動部材２５０は、１枚の平板状の金属材料を折り曲げ加工して一体成形されている。誘導部２５１は、摺動部材２５０の長手方向に沿って延びるように１対形成されている。１対の誘導部２５１は、互いに平行に延びている。
【００３９】
図１７に示したように、１対の誘導部２５１の間の最短距離Ｗ３は、幅広部２４４の幅Ｗ２よりも小さく、折れ曲がり部２４２及び斜行部２４３の幅Ｗ１よりも大きくなっている。
【００４０】
押さえ部材２６０は、図１８及び図１９及び図２０に示すように、上方へ傾斜した押圧部２６１と、押圧部２６１の後方に設けられた平坦な上面部２６２と、上面部２６２の前端から立ち上がる支点部２６３と、上面部２６２の後端から立ち下がる背面部２６４とを有する。ここで、図１８は、押さえ部材２６０を前方から見た図である。図１９は、押さえ部材２６０を側方から見た図である。図２０は、押さえ部材２６０を上方から見た図である。
【００４１】
本実施の形態において、押さえ部材２６０は、１枚の平板状の金属材料を折り曲げ加工して一体成形されている。押圧部２６１は、押さえ部材２６０の長手方向に沿って延びるように１対形成されている。１対の押圧部２６１は、互いに平行に延びている。支点部２６３は、押圧部２６１に対応するように上面部２６２の前端に１対形成されている。背面部２６４は、押圧部２６１及び支点部２６３に対応するスリット２６５が両側にできるように上面部２６２の後端に形成されている。背面部２６４には、摺動部材２５０の後端が嵌め込まれる穴２６６も設けられている。
【００４２】
図２０に示したように、１対の押圧部２６１の間の最短距離Ｗ４は、１対の誘導部２５１の間の最短距離Ｗ３以上であり、幅広部２４４の幅Ｗ２よりも小さくなっている。よって、折れ曲がり部２４２及び斜行部２４３の幅Ｗ１、幅広部２４４の幅Ｗ２、誘導部２５１の間の最短距離Ｗ３、押圧部２６１の間の最短距離Ｗ４は、Ｗ１＜Ｗ４≦Ｗ３＜Ｗ２という関係である。このため、後述するように、折れ曲がり部２４２及び斜行部２４３が、誘導部２５１と押圧部２６１との間に形成される隙間の中でスライドするように、引っ掛け部材２４０と摺動部材２５０と押さえ部材２６０とを組み合わせることができる。
【００４３】
１対の支点部２６３の間の最短距離Ｗ５は、折れ曲がり部２４２及び斜行部２４３の幅Ｗ１よりも小さくなっている。このため、後述するように、斜行部２４３が、支点部２６３によって押さえ付けられながらスライドするように、引っ掛け部材２４０と摺動部材２５０と押さえ部材２６０とを組み合わせることができる。
【００４４】
背面部２６４の幅Ｗ６は、幅広部２４４の幅Ｗ２から、引っ掛け部材２４０を形成する金属材料の直径の２倍の長さを引いた値にほぼ等しい。上面部２６２の幅Ｗ７は、幅広部２４４の幅Ｗ２よりも広くなっている。このため、後述するように、幅広部２４４が、背面部２６４の両側にあるスリット２６５を貫通しながらスライドするように、引っ掛け部材２４０と摺動部材２５０と押さえ部材２６０とを組み合わせることができる。
【００４５】
図２１及び図２２に示すように、引っ掛け部材２４０は、モジュール取り付け部５００の取り付け正面部５１０を切り起こして形成された溝部５１１にスライド可能に保持されるとともに、摺動部材２５０及び押さえ部材２６０に装着されている。摺動部材２５０及び押さえ部材２６０は、引っ掛け部材２４０がスライドするのに伴い、引っ掛け部材２４０を斜め方向へ誘導する。ここで、図２１の（ａ）及び図２２の（ａ）は、引っ掛け部材２４０が押し込まれた状態を示している。一方、図２１の（ｂ）及び図２２の（ｂ）は、引っ掛け部材２４０が引き出された状態を示している。
【００４６】
図２２の（ａ）の状態において、引っ掛け部材２４０の先端部２４１は、押さえ部材２６０がある位置まで押し込まれており、取り付け正面部５１０に接近している。引っ掛け部材２４０の折れ曲がり部２４２の下方に延びる部分は、押さえ部材２６０の支点部２６３によって前方に押圧されている。このため、引っ掛け部材２４０が図２２の（ａ）に示した位置よりも奥に押し込まれることが防止される。即ち、引っ掛け部材２４０が、前後方向において固定される。引っ掛け部材２４０の斜行部２４３は、支点部２６３の立ち上がり始める部分によって下方に押圧されている。このため、引っ掛け部材２４０が、上下方向においても固定され、押し込まれた状態を維持することができる。引っ掛け部材２４０の幅広部２４４は、押さえ部材２６０の背面部２６４の両側にあるスリット２６５を貫通し、ほとんどの部分が溝部５１１に嵌まっている。
【００４７】
図２２の（ａ）の状態から図２２の（ｂ）の状態になるように引っ掛け部材２４０がスライドする過程において、引っ掛け部材２４０の先端部２４１は、押さえ部材２６０がある位置から引き出されて、取り付け正面部５１０から徐々に遠ざかる。引っ掛け部材２４０の折れ曲がり部２４２及び斜行部２４３は、摺動部材２５０の誘導部２５１と押さえ部材２６０の押圧部２６１との間に形成される隙間の中で前方かつ斜め上方にスライドする。このとき、折れ曲がり部２４２及び斜行部２４３は、押さえ部材２６０の支点部２６３から離れる。引っ掛け部材２４０の幅広部２４４は、折れ曲がり部２４２及び斜行部２４３に続けて、誘導部２５１と押圧部２６１との間で前方かつ斜め上方にスライドする。このとき、幅広部２４４は、折れ曲がり部２４２及び斜行部２４３と異なり、支点部２６３によって押さえ付けられる。また、幅広部２４４は、背面部２６４の両側にあるスリット２６５を貫通しながらスライドする。これにより、幅広部２４４の後端は、背面部２６４に徐々に近づく。
【００４８】
図２２の（ｂ）の状態において、引っ掛け部材２４０の先端部２４１は、光源ユニット３００の平面視における外郭よりも外側に突き出している。引っ掛け部材２４０の折れ曲がり部２４２及び斜行部２４３は、押さえ部材２６０の前方かつ斜め上方に位置している。引っ掛け部材２４０の幅広部２４４は、摺動部材２５０の誘導部２５１と押さえ部材２６０の押圧部２６１と押さえ部材２６０の支点部２６３とによって３点で押圧されている。このため、引っ掛け部材２４０が、前後方向及び上下方向において固定され、引き出された状態を維持することができる。また、幅広部２４４の後端は、背面部２６４に引っ掛かっている。このため、引っ掛け部材２４０が図２２の（ｂ）に示した位置よりも手前に引き出されることが防止される。
【００４９】
図２２の（ｂ）の状態から図２２の（ａ）の状態になるように引っ掛け部材２４０がスライドする過程において、引っ掛け部材２４０の先端部２４１は、光源ユニット３００の平面視における外郭よりも外側の位置から押し込まれて、取り付け正面部５１０に徐々に近づく。引っ掛け部材２４０の折れ曲がり部２４２及び斜行部２４３は、摺動部材２５０の誘導部２５１と押さえ部材２６０の押圧部２６１との間に形成される隙間の中で後方かつ斜め下方にスライドする。引っ掛け部材２４０の幅広部２４４は、折れ曲がり部２４２及び斜行部２４３よりも先に、誘導部２５１と押圧部２６１との間で後方かつ斜め下方にスライドする。このとき、幅広部２４４は、折れ曲がり部２４２及び斜行部２４３と異なり、支点部２６３によって押さえ付けられる。また、幅広部２４４は、背面部２６４の両側にあるスリット２６５を貫通しながらスライドする。これにより、幅広部２４４の後端は、背面部２６４から徐々に遠ざかる。
【００５０】
本実施の形態において、照明装置１００は、光源ユニット３００を器具本体１０１に固定する１対の固定機構２００を備える。それぞれの固定機構２００は、１つのバネ部材２１０と、１つの爪付き部材２２０と、１つの穴開き部材２３０と、１つの引っ掛け部材２４０とからなる。図３及び図１０に示したように、１対の固定機構２００は、器具本体１０１の端子台設置面１０２と光源ユニット３００の点灯装置設置面３０２との間に形成される空間の中で、器具本体１０１の端子台１３０と光源ユニット３００の点灯装置８００とを点灯装置８００の短手方向と平行な方向Ｄ１に沿って挟む２つの位置Ｐ１，Ｐ２に分けて配置される。これにより、器具本体１０１の端子台１３０と光源ユニット３００の点灯装置８００とを電気的に接続する電線が配置される空間である電気的接続空間と、器具本体１０１と光源ユニット３００とを機械的に接続する固定機構２００が配置される空間である機械的接続空間とを方向Ｄ１に沿って分けることができる。よって、端子台１３０と点灯装置８００とを接続する電線が、光源ユニット３００を器具本体１０１に固定するための部材と干渉しにくくなる。
【００５１】
図１０に示したように、光源ユニット３００は、点灯装置８００として、互いの長手方向が平行な１対の点灯装置８００を有する。１対の固定機構２００は、２つの位置Ｐ１，Ｐ２として、１対の点灯装置８００の一方と端子台１３０と１対の点灯装置８００の他方とを順番に挟む２つの位置Ｐ１，Ｐ２に分けて配置される。これにより、１対の点灯装置８００が電気的接続空間と機械的接続空間との仕切りの役割を果たし、端子台１３０と点灯装置８００とを接続する電線が、光源ユニット３００を器具本体１０１に固定するための部材とより一層干渉しにくくなる。
【００５２】
図３及び図１０に示したように、端子台設置面１０２では、引き込み孔１１１が、１対の点灯装置８００の短手方向と平行な方向Ｄ１に沿って１対の点灯装置８００の間に挟まれる位置Ｐ３に設けられる。これにより、外部から引き込まれる給電用の電線も、光源ユニット３００を器具本体１０１に固定するための部材と干渉しにくくなる。
【００５３】
１対の固定機構２００は、爪２２１が形成された爪付き部材２２０と、爪付き部材２２０の爪２２１に引っ掛けられる引っ掛け部材２４０との組み合わせをそれぞれ有する。爪付き部材２２０と引っ掛け部材２４０とのうちいずれか一方は、器具本体１０１の端子台設置面１０２に取り付けられる。他方は、光源ユニット３００の点灯装置設置面３０２に取り付けられる。即ち、爪付き部材２２０は、器具本体１０１と光源ユニット３００との互いに対向する面のいずれか一方である第１対向面に取り付けられる。引っ掛け部材２４０は、器具本体１０１と光源ユニット３００との互いに対向する面の他方である第２対向面にスライド自在に取り付けられる。本実施の形態では、爪付き部材２２０が端子台設置面１０２に取り付けられ、引っ掛け部材２４０が点灯装置設置面３０２に取り付けられる。即ち、端子台設置面１０２が第１対向面に該当し、点灯装置設置面３０２が第２対向面に該当する。
【００５４】
図３及び図１０に示したように、爪付き部材２２０と引っ掛け部材２４０との組み合わせは、点灯装置８００の長手方向と平行な方向Ｄ２における、端子台設置面１０２と点灯装置設置面３０２との間の空間の一端Ｅ１に配置される。後述するように、光源ユニット３００は、引っ掛け部材２４０が爪付き部材２２０の爪２２１に引っ掛けられることにより形成される回転軸を中心に回転することで器具本体１０１に装着される。なお、本実施の形態では、爪付き部材２２０と引っ掛け部材２４０との組み合わせが端子台設置面１０２と点灯装置設置面３０２との間の空間の一端Ｅ１に１対配置されるが、１つのみ配置されてもよいし、３つ以上配置されてもよい。
【００５５】
図３に示したように、端子台１３０は、点灯装置８００の長手方向と平行な方向Ｄ２における、端子台設置面１０２と点灯装置設置面３０２との間の空間の中央よりも一端Ｅ１に近い位置に配置される。これにより、端子台１３０が光源ユニット３００の回転軸寄りに配置されることになるため、端子台１３０と点灯装置８００とを接続する電線の長さを短くすることができるとともに、配線作業が容易になる。
【００５６】
１対の固定機構２００は、穴２３１が形成された穴開き部材２３０と、穴開き部材２３０の穴２３１に引っ掛けられるバネ部材２１０との組み合わせをそれぞれ有する。穴開き部材２３０とバネ部材２１０とのうちいずれか一方は、器具本体１０１の端子台設置面１０２に取り付けられる。他方は、光源ユニット３００の点灯装置設置面３０２に取り付けられる。本実施の形態では、バネ部材２１０が端子台設置面１０２に取り付けられ、穴開き部材２３０が点灯装置設置面３０２に取り付けられる。
【００５７】
図３及び図１０に示したように、穴開き部材２３０とバネ部材２１０との組み合わせは、点灯装置８００の長手方向と平行な方向Ｄ２における、端子台設置面１０２と点灯装置設置面３０２との間の空間の他端Ｅ２に配置される。後述するように、光源ユニット３００は、バネ部材２１０が穴開き部材２３０の穴２３１に引っ掛けられた状態でバネ部材２１０により発揮される弾性力によって器具本体１０１に固定される。なお、本実施の形態では、穴開き部材２３０とバネ部材２１０との組み合わせが端子台設置面１０２と点灯装置設置面３０２との間の空間の他端Ｅ２に１対配置されるが、１つのみ配置されてもよいし、３つ以上配置されてもよい。
【００５８】
図３及び図１０に示したように、端子台設置面１０２では、挿入孔１１２が、爪付き部材２２０が取り付けられた位置と、バネ部材２１０が取り付けられた位置との間に設けられる。これにより、端子台１３０と点灯装置８００とを接続する電線、及び、外部から引き込まれる給電用の電線が、外部から挿入される固定具とも干渉しにくくなる。
【００５９】
図２１及び図２２に示したように、押さえ部材２６０は、引っ掛け部材２４０がスライドする経路に配置される。押さえ部材２６０は、引っ掛け部材２４０の一部を点灯装置設置面３０２に向かって押さえ付けることで引っ掛け部材２４０により発揮される弾性力によって光源ユニット３００を器具本体１０１に固定する。これにより、引っ掛け部材２４０を爪付き部材２２０の爪２２１に引っ掛けることで光源ユニット３００を仮保持できるだけでなく、引っ掛け部材２４０をスライドさせて押さえ部材２６０により押さえ付けることで光源ユニット３００を器具本体１０１に固定できる。よって、光源ユニット３００を仮保持状態から装着状態へスムーズに移行させることができる。
【００６０】
押さえ部材２６０は、引っ掛け部材２４０がスライドする際に引っ掛け部材２４０の一部を点灯装置設置面３０２に向かって押さえ付けることで先端部２４１を斜めに移動させる。これにより、本実施の形態では、点灯装置設置面３０２の垂直方向及び水平方向における先端部２４１の位置が点灯装置設置面３０２から徐々に遠ざかるように、引っ掛け部材２４０を引き出すことができる。また、点灯装置設置面３０２の垂直方向及び水平方向における先端部２４１の位置が点灯装置設置面３０２に徐々に近づくように、引っ掛け部材２４０を押し込むことができる。
【００６１】
引っ掛け部材２４０は、光源ユニット３００が器具本体１０１に装着される過程で先端部２４１が爪付き部材２２０に押し当てられることで先端部２４１が押さえ部材２６０に近づく方向にスライドする。
【００６２】
＊＊＊手順の説明＊＊＊
以下では、照明装置１００を組み立てる手順を説明する。
【００６３】
図８及び図９を参照して、光源ユニット３００を組み立てる手順を説明する。
【００６４】
まず、カバー部６００の開口を覆うようにＬＥＤモジュール４００が取り付けられたモジュール取り付け部５００を配設する。このとき、ＬＥＤモジュール４００は、カバー正面部６１０と対面し、カバー側面部６２０の先端は、カバー受け部５２０に挿し込まれる。
【００６５】
次に、固定金具７００を固定爪部７３０の先端から挿通孔５２４に挿し込んで係止する。そして、固定爪部７３０をカバー固定孔６２１に挿し込んで係止し、固定正面部７１０が取り付け正面部５１０の切り起こし部分に当接したら、ビス等により固定金具７００をモジュール取り付け部５００に固定する。この工程を固定金具７００が設置される全ての箇所に実施することで、カバー部６００がモジュール取り付け部５００に固定される。本実施の形態では、固定金具７００が設置される箇所は８箇所である。カバー部６００の凸部６３０は、カバー受け部５２０の外側側面部５２３の下端を覆っている。
【００６６】
図２３及び図２４を参照して、器具本体１０１を被取り付け部へ取り付ける方法を説明する。
【００６７】
器具本体１０１の取り付け方は、２通りある。
【００６８】
図２３の例では、天井材９００に本体面部１１０を当接させた後に、ボルト等の固定具を挿入孔１１２に挿通し、器具本体１０１を固定する。
【００６９】
図２４の例では、天井材９００に形成された埋め込み穴９０１に器具本体１０１の一部を埋め込んで取り付ける。具体的には、器具本体１０１を傾斜部１２１まで埋め込み、水平受け部１２２が天井材９００に当接した状態で、ボルト等の固定具を挿入孔１１２に挿通し、器具本体１０１を固定する。水平受け部１２２は、天井材９００に当接することでガタツキを抑制している。
【００７０】
図２５及び図２６及び図２７を参照して、光源ユニット３００を器具本体１０１に取り付ける手順を説明する。
【００７１】
まず、図２５に示すように、引っ掛け部材２４０を摺動部材２５０に沿って引き出し、先端部２４１をカバー受け部５２０より外側に突き出させる。このとき、引っ掛け部材２４０の先端部２４１と取り付け正面部５１０との距離が広がる。つまり、引っ掛け部材２４０は、垂直方向及び水平方向の両方において先端部２４１と取り付け正面部５１０との距離が広がるように引き出される。これにより、引っ掛け部材２４０は、図２１の（ｂ）及び図２２の（ｂ）に示した状態となる。引っ掛け部材２４０が引き出された状態で、光源ユニット３００をほぼ垂直に傾け、爪付き部材２２０の爪２２１に引っ掛け部材２４０を引っ掛ける。前述したように、引っ掛け部材２４０は、引き出された状態では、摺動部材２５０と押さえ部材２６０とにより前後方向及び上下方向において固定される。また、図２２の（ｂ）に示したように、引っ掛け部材２４０の幅広部２４４の後端が押さえ部材２６０の背面部２６４に引っ掛かる。これにより、光源ユニット３００が仮保持状態になる。この状態において、端子台１３０のコネクタと点灯装置８００のコネクタとの間を電線で接続する。引っ掛け部材２４０の先端部２４１と爪付き部材２２０の爪２２１は、光源ユニット３００の回転軸を形成する。
【００７２】
次に、図２６に示すように、光源ユニット３００をほぼ垂直な状態から回転させるとともに、バネ部材２１０を弾性変形させてバネ部材２１０の先端部２１３を穴開き部材２３０の穴２３１に引っ掛ける。
【００７３】
次に、図２７に示すように、光源ユニット３００を器具本体１０１に向かって押し上げることで、引っ掛け部材２４０の先端部２４１が爪付き部材２２０の係止部２２２に当接して押し込まれる。これにより、光源ユニット３００の引っ掛け部材２４０がある側が引き上げられていく。また、バネ部材２１０の円弧部２１１が穴開き部材２３０の穴２３１の縁を摺動する。これにより、光源ユニット３００の穴開き部材２３０がある側が引き上げられていく。光源ユニット３００が完全に引き上げられると、器具本体１０１の光源受け部１２３が光源ユニット３００の固定金具７００の段差部７２０に載り、光源ユニット３００が器具本体１０１の開口を閉塞し、器具本体１０１に固定される。このとき、引っ掛け部材２４０は、図２１の（ａ）及び図２２の（ａ）に示した状態となる。前述したように、引っ掛け部材２４０は、押し込まれた状態では、押さえ部材２６０により前後方向及び上下方向において固定される。具体的には、図２２の（ａ）に示したように、引っ掛け部材２４０の斜行部２４３が、押さえ部材２６０の支点部２６３によって下方に押圧される。これにより、引っ掛け部材２４０が弾性変形し、弾性力が発揮される。この弾性力によって光源ユニット３００が器具本体１０１に固定される。即ち、光源ユニット３００が装着状態になる。
【００７４】
本実施の形態では、光源受け部１２３が固定金具７００に接触する。図２４の例では、水平側面部５２２と被取り付け部との間に隙間ができるように光源受け部１２３が固定金具７００に接触することで、光源ユニット３００が被取り付け部の不陸による装着不良等の影響を受けることを抑制できる。
【００７５】
＊＊＊実施の形態の効果の説明＊＊＊
本実施の形態では、光源ユニット３００を器具本体１０１に固定する１対の固定機構２００が、少なくとも点灯装置８００を点灯装置８００の短手方向と平行な方向Ｄ１に沿って挟む２つの位置Ｐ１，Ｐ２に分けて配置される。このため、本実施の形態によれば、点灯装置８００に接続される電線等の電気部材が、光源ユニット３００を器具本体１０１に取り付ける際に他の部材と干渉しにくくなる。具体的には、本実施の形態では、光源ユニット３００を器具本体１０１に固定する１対の固定機構２００が、端子台１３０と点灯装置８００とを点灯装置８００の短手方向と平行な方向Ｄ１に沿って挟む２つの位置Ｐ１，Ｐ２に分けて配置される。このため、本実施の形態によれば、端子台１３０と点灯装置８００とを接続する電線が、光源ユニット３００を器具本体１０１に固定するための部材と干渉しにくくなる。
【００７６】
本実施の形態では、スライド可能な引っ掛け部材２４０を用いて光源ユニット３００を器具本体１０１に固定できる。このため、本実施の形態によれば、光源ユニット３００を容易に装着することができる。具体的には、本実施の形態では、引っ掛け部材２４０を爪付き部材２２０の爪２２１に引っ掛けることで光源ユニット３００を仮保持できるだけでなく、引っ掛け部材２４０をスライドさせて押さえ部材２６０により押さえ付けることで光源ユニット３００を器具本体１０１に固定できる。よって、光源ユニット３００を仮保持状態から装着状態へスムーズに移行させることができる。
【００７７】
本実施の形態では、２つの点灯装置８００の間に、引き込み孔１１１と端子台１３０と引き込み孔１１１から引き込まれて端子台１３０に接続される電線とが配設される。また、点灯装置８００の長手方向の側面よりも外側に、挿入孔１１２と挿入孔１１２に挿通されるボルト等の固定具とが配設される。挿入孔１１２を通る点灯装置８００の長手方向と平行な仮想の直線上の一方側には、バネ部材２１０と穴開き部材２３０とが互いに係合するように配置される。他方側には、爪付き部材２２０と引っ掛け部材２４０とが互いに係合するように配置される。
【００７８】
このように、本実施の形態では、点灯装置８００と、引き込み孔１１１と、端子台１３０と、電線とからなる電気的接続部が集約された電気的接続空間と、電気的接続空間の側方に位置し、固定機構２００と、挿入孔１１２と、固定具とからなる機械的接続部が集約された機械的接続空間とを分けることができる。電気的接続空間と機械的接続空間とを分けることで、光源ユニット３００を器具本体１０１に取り付ける際に、固定機構２００若しくは固定具が電線又はコネクタ等と干渉することを防ぐことができる。
【００７９】
本実施の形態は、引っ掛け部材２４０が摺動部材２５０によりモジュール取り付け部５００から離れるように斜め方向に突き出すとともに、引っ掛け部材２４０の先端部２４１とモジュール取り付け部５００との間が広がることによって、光源ユニット３００を器具本体１０１に取り付ける際に、光源ユニット３００のカバー受け部５２０が被取り付け部に干渉したり、器具本体１０１の水平受け部１２２に引っ掛かったりすることを防ぐことができる。よって、光源ユニット３００が取り付けやすくなる。
【００８０】
本実施の形態では、端子台１３０のコネクタと点灯装置８００のコネクタが、光源ユニット３００を取り付ける際に回転軸となる爪付き部材２２０と引っ掛け部材２４０とがある側に位置するので、端子台１３０と端子台１３０側のコネクタとをつなぐケーブル及び点灯装置８００と点灯装置８００側のコネクタとをつなぐケーブルを短くすることができる。よって、ケーブルを収容する空間を小さくすることができる。
【００８１】
＊＊＊他の構成＊＊＊
本実施の形態では、器具本体１０１にバネ部材２１０及び爪付き部材２２０を配設し、光源ユニット３００に穴開き部材２３０及び引っ掛け部材２４０を配設しているが、器具本体１０１に穴開き部材２３０及び引っ掛け部材２４０を配設し、光源ユニット３００にバネ部材２１０及び爪付き部材２２０を配設してもよい。
【００８２】
また、本実施の形態では、光源ユニット３００が取り付けられる器具本体１０１が光源ユニット３００の内側に収まるため、被取り付け部に取り付けた状態では、外部から見えないようになっているが、図２８及び図２９、或いは、図３０及び図３１に示すように、器具本体１０１が外部から見えるような形状及び大きさであってもよい。
【００８３】
また、本実施の形態では、引き込み孔１１１から引き込まれた電線が端子台１３０に接続される構成を採用しているが、端子台１３０を用いず、電線が点灯装置８００に直接接続される構成、或いは、電線がコネクタ等の接続具を介して点灯装置８００に接続される構成を採用してもよい。端子台１３０を用いない変形例においても、１対の固定機構２００が、少なくとも点灯装置８００を点灯装置８００の短手方向と平行な方向Ｄ１に沿って挟む２つの位置Ｐ１，Ｐ２に分けて配置される。このため、点灯装置８００に接続される電線等の電気部材が、光源ユニット３００を器具本体１０１に取り付ける際に他の部材と干渉しにくくなる。
【００８４】
以上、本発明の実施の形態１について説明したが、この実施の形態を部分的に実施しても構わない。例えば、この実施の形態の説明において「部」として説明するもののうち、いずれか１つのみを採用してもよいし、いくつかの任意の組み合わせを採用してもよい。なお、本発明は、この実施の形態に限定されるものではなく、必要に応じて種々の変更が可能である。
【００８５】
実施の形態２．
本実施の形態に係る装置の構成、本実施の形態の効果を順番に説明する。主に実施の形態１との差異を説明する。
【００８６】
＊＊＊構成の説明＊＊＊
図３２を参照して、本実施の形態に係る装置である照明装置１００の構成を説明する。図３２は、天井である被取り付け部に取り付けられた照明装置１００を側方から見た図であり、左半分が照明装置１００の側面、右半分が照明装置１００の断面を示している。なお、図３２は、器具本体１０１に光源ユニット３００が装着されていない状態の照明装置１００を示しているが、器具本体１０１には、実施の形態１と同じように、光源ユニット３００が着脱自在に取り付けられる。
【００８７】
照明装置１００は、天井材９００に形成された埋め込み穴９０１に器具本体１０１の一部を埋め込んだ状態で、被取り付け部に取り付けられる。
【００８８】
実施の形態１においても、図２４の例のように、天井材９００に形成された埋め込み穴９０１に器具本体１０１の一部を埋め込んだ状態で、照明装置１００を被取り付け部に取り付けることができる。このとき、器具本体１０１は、ボルト等の固定具を挿入孔１１２に挿通して固定される。図３に示したように、挿入孔１１２は、２つあり、いずれも長穴であるが、互いの向きが９０度ずれた形になっている。そのため、固定具の挿入位置にバラツキが出にくく、その結果、器具本体１０１を所望の位置に固定しやすくなる。しかし、固定具が設置された位置自体がずれている場合は、器具本体１０１も所望の位置からずれてしまい、それによって、埋め込み穴９０１の一部が見えてしまうおそれがある。
【００８９】
そこで、本実施の形態では、器具本体１０１の位置ずれを抑制する構成を採用している。照明装置１００は、そのような構成の要素として、位置決め部材１４０を備える。
【００９０】
位置決め部材１４０は、器具本体１０１に取り付けられている。本実施の形態において、器具本体１０１の形状は、実施の形態１と同じように、平面視で正方形である。位置決め部材１４０は、この正方形の各辺に対して１つずつ器具本体１０１に取り付けられている。即ち、器具本体１０１には、器具本体１０１の正方形の各辺に対応する４つの位置決め部材１４０が取り付けられている。
【００９１】
位置決め部材１４０は、外部の埋め込み穴９０１に器具本体１０１の一部が埋め込まれている状態で、埋め込み穴９０１における器具本体１０１の位置決めのために埋め込み穴９０１の壁面に対向する対向面１４１を有する。本実施の形態において、位置決め部材１４０は、対向面１４１として、対応する辺と平行な面を有する。即ち、４つの位置決め部材１４０は、器具本体１０１の正方形の各辺と平行な対向面１４１をそれぞれ有する。
【００９２】
照明装置１００が被取り付け部に取り付けられると、常に、それぞれの対向面１４１が埋め込み穴９０１の壁面に接する。或いは、器具本体１０１が所望の位置からずれそうになったときに、器具本体１０１の位置ずれの方向にある対向面１４１が埋め込み穴９０１の壁面に接する。これにより、器具本体１０１の位置ずれが抑制される。
【００９３】
本実施の形態において、器具本体１０１は、器具本体１０１の正方形の各辺に対応する４つの枠部材１５０を有する。それぞれの枠部材１５０は、傾斜部１２１の下端から延び、水平受け部１２２及び光源受け部１２３をなす断面視Ｌ字状の板状部材である。図３３に示すように、隣接する枠部材１５０は、互いの長手方向の端面が突き合わせられており、平面視Ｌ字状の当て板１５１によって互いに連結されている。即ち、本実施の形態では、隣接する枠部材１５０同士が当て板１５１によって連結されている。それぞれの位置決め部材１４０は、当て板１５１と一体に形成されている。具体的には、それぞれの位置決め部材１４０は、１枚の平板材の当て板１５１となる部分以外を板金加工によって９０度折り曲げることで形成されている。このように、本実施の形態では、隣接する側面部１２０同士を連結する当て板１５１と、当て板１５１の内側側辺から垂直方向へ突き出た位置決め部材１４０とからなる位置決め当て板が、器具本体１０１の四隅に取り付けられている。
【００９４】
図３４に示すように、当て板１５１は、位置決め部材１４０とは別体として設けられてもよいが、板金加工時に破棄されてしまう部分Ａ１を、本実施の形態のように曲げ加工して位置決め部材１４０を形成したほうが材料を効率的に使用することができる。また、位置決め部材１４０を器具本体１０１に取り付けるための溶接等の加工の手間を省くこともできる。
【００９５】
＊＊＊実施の形態の効果の説明＊＊＊
本実施の形態では、器具本体１０１に取り付けられている位置決め部材１４０の対向面１４１が、被取り付け部の埋め込み穴９０１に器具本体１０１の一部が埋め込まれている状態で、埋め込み穴９０１の壁面に接するか、又は、少なくとも対向している。このため、本実施の形態によれば、器具本体１０１の位置ずれを抑制することができる。
【００９６】
＊＊＊他の構成＊＊＊
本実施の形態では、器具本体１０１の平面視形状が正方形であるが、器具本体１０１の平面視形状は、正方形以外の四角形、又は、三角形、五角形といった四角形以外の多角形であってもよい。いずれの場合も、器具本体１０１は、その多角形の各辺に対応する複数の枠部材１５０を有し、隣接する枠部材１５０同士が当て板１５１によって連結されていることが望ましい。位置決め部材１４０は、当て板１５１と一体に形成されていることが望ましい。また、いずれの場合も、位置決め部材１４０は、器具本体１０１の多角形の各辺に対して１つずつ器具本体１０１に取り付けられることが望ましい。なお、位置決め部材１４０は、その多角形の少なくとも１つの辺に対して少なくとも１つ器具本体１０１に取り付けられていればよい。その場合でも、少なくとも１つの方向においては器具本体１０１の位置ずれを抑制することができる。
【００９７】
実施の形態３．
本実施の形態に係る装置の構成、本実施の形態の効果を順番に説明する。主に実施の形態２との差異を説明する。
【００９８】
＊＊＊構成の説明＊＊＊
図３５を参照して、本実施の形態に係る装置である照明装置１００の構成を説明する。図３５は、天井である被取り付け部に取り付けられた照明装置１００の一部の断面を示す図である。
【００９９】
器具本体１０１は、実施の形態２と同じように、天井材９００に形成された埋め込み穴９０１に埋め込まれている。図３５には示していないが、器具本体１０１は、埋め込み穴９０１の奥に設けられたボルト等の固定具が挿入孔１１２に挿通されている状態で固定されている。
【０１００】
光源ユニット３００は、一部が器具本体１０１よりも側方にはみ出してはみ出し部３１０を形成している。
【０１０１】
器具本体１０１の側面部１２０は、実施の形態２では、傾斜部１２１と水平受け部１２２と光源受け部１２３とで構成されているが、本実施の形態では、水平受け部１２２と光源受け部１２３とがない。また、側面部１２０は、本実施の形態では、傾斜部１２１のように斜めに形成されるのではなく、本体面部１１０の側辺より垂直に形成されている。
【０１０２】
器具本体１０１の本体面部１１０には、枠体１６０が取り付けられている。枠体１６０は、水平面部１６１と、垂直面部１６２と、鍔部１６３と、傾斜部１６４とを有する。
【０１０３】
水平面部１６１は、本体面部１１０にネジ等で固定されている。
【０１０４】
垂直面部１６２は、水平面部１６１とつながり、水平面部１６１に対して垂直に延びている。
【０１０５】
鍔部１６３は、垂直面部１６２とつながり、垂直面部１６２に対して垂直、即ち、水平面部１６１に対して平行に延びている。具体的には、鍔部１６３は、垂直面部１６２の端から天井材９００に対して平行、即ち、水平方向に突き出している。鍔部１６３は、器具本体１０１から、はみ出し部３１０がはみ出している方向に延び、器具本体１０１に近い側の端部がはみ出し部３１０と当たることで光源ユニット３００を受けている。即ち、鍔部１６３は、光源ユニット３００が器具本体１０１に取り付けられたときに光源ユニット３００の受け部となる。
【０１０６】
傾斜部１６４は、鍔部１６３とつながり、鍔部１６３に対して斜めに延びている。具体的には、傾斜部１６４は、鍔部１６３の器具本体１０１から遠い側の端部から、光源ユニット３００と離れた状態で器具本体１０１から光源ユニット３００へ向かう方向に延びている。傾斜部１６４は、一部が天井材９００の下方、即ち、埋め込み穴９０１の外側に位置するように形成されている。
【０１０７】
照明装置１００が上記のような構成になっていることで、光源ユニット３００の側面３０３と、鍔部１６３のはみ出し部３１０と当たる第１面１７１と、傾斜部１６４の光源ユニット３００の側面３０３を臨む第２面１７２とで囲まれた空間１７３が形成されている。この空間１７３は、光源ユニット３００の側面３０３と傾斜部１６４の第２面１７２とのみによって形成される逆Ｖ字状の狭い溝ではなく、鍔部１６３の第１面１７１を底面とする深く広い溝になっている。そのため、光源ユニット３００の着脱時に、作業者が空間１７３に手を入れやすい。よって、光源ユニット３００を手で押さえながら行われる着脱作業が容易となる。
【０１０８】
図３６に示すように、器具本体１０１には、位置決め部材１４０ａが取り付けられている。本実施の形態において、器具本体１０１の形状は、実施の形態２と同じように、平面視で正方形である。位置決め部材１４０ａは、この正方形の各辺に対して１つずつ器具本体１０１に取り付けられている。即ち、器具本体１０１には、器具本体１０１の正方形の各辺に対応する４つの位置決め部材１４０ａが取り付けられている。
【０１０９】
器具本体１０１には、別の位置決め部材１４０ｂも取り付けられている。位置決め部材１４０ｂは、器具本体１０１の正方形の各辺に対して１つずつ器具本体１０１に取り付けられている。即ち、器具本体１０１には、器具本体１０１の正方形の各辺に対応する４つの位置決め部材１４０ｂが取り付けられている。
【０１１０】
位置決め部材１４０ａ，１４０ｂは、外部の埋め込み穴９０１に器具本体１０１の一部が埋め込まれている状態で、埋め込み穴９０１における器具本体１０１の位置決めのために埋め込み穴９０１の壁面に対向する対向面１４１を有する。本実施の形態において、位置決め部材１４０ａ，１４０ｂは、対向面１４１として、対応する辺と平行な面を有する。即ち、４つの位置決め部材１４０ａと４つの位置決め部材１４０ｂは、器具本体１０１の正方形の各辺と平行な対向面１４１をそれぞれ有する。
【０１１１】
照明装置１００が被取り付け部に取り付けられると、常に、それぞれの対向面１４１が埋め込み穴９０１の壁面に接する。或いは、器具本体１０１が所望の位置からずれそうになったときに、器具本体１０１の位置ずれの方向にある対向面１４１が埋め込み穴９０１の壁面に接する。これにより、器具本体１０１の位置ずれが抑制される。
【０１１２】
本実施の形態において、器具本体１０１は、器具本体１０１の正方形の各辺に対応する４つの枠部材１５０ａを有する。それぞれの枠部材１５０ａは、傾斜部１６４の下端から天井材９００に対して平行、即ち、水平方向に延び、途中で折れ曲がって、天井材９００に向かうように垂直方向に延びる断面視Ｌ字状の板状部材である。図３６に示すように、隣接する枠部材１５０ａは、互いの長手方向の端面が突き合わせられており、平面視Ｌ字状の当て板１５１ａによって互いに連結されている。即ち、本実施の形態では、隣接する枠部材１５０ａ同士が当て板１５１ａによって連結されている。それぞれの位置決め部材１４０ａは、当て板１５１ａと一体に形成されている。具体的には、それぞれの位置決め部材１４０ａは、１枚の平板材の当て板１５１ａとなる部分以外を板金加工によって折り曲げることで形成されている。本実施の形態では、傾斜部１６４が大きく形成されているので、照明装置１００が被取り付け部に取り付けられた状態では、傾斜部１６４の端から延びる枠部材１５０ａが埋め込み穴９０１の縁よりも外側に位置する。そのため、それぞれの位置決め部材１４０ａは、当て板１５１ａから埋め込み穴９０１の縁又はその近傍に向かって斜めに延びて傾斜面１４２が形成された部分と、当該部分から天井材９００に対して垂直に延びて対向面１４１が形成された部分とからなる。対向面１４１は、傾斜面１４２と連続している。
【０１１３】
それぞれの位置決め部材１４０ｂは、枠部材１５０ａではなく、傾斜部１６４に溶接等により取り付けられている。
【０１１４】
＊＊＊実施の形態の効果の説明＊＊＊
本実施の形態では、照明装置１００が、光源ユニット３００の着脱時に、作業者が光源ユニット３００と器具本体１０１に近い側の端部で光源ユニット３００を受ける鍔部１６３と鍔部１６３の器具本体１０１から遠い側の端部から延びる傾斜部１６４とで囲まれた広い空間１７３を使用して光源ユニット３００を手で押さえながら着脱作業を行うことができる構造になっている。そのため、光源ユニット３００の着脱作業が容易となる。
【０１１５】
＊＊＊他の構成＊＊＊
本実施の形態では、器具本体１０１の平面視形状が正方形であるが、器具本体１０１の平面視形状は、正方形以外の四角形、又は、三角形、五角形といった四角形以外の多角形であってもよい。いずれの場合も、器具本体１０１は、その多角形の各辺に対応する複数の枠部材１５０ａを有し、隣接する枠部材１５０ａ同士が当て板１５１ａによって連結されていることが望ましい。位置決め部材１４０ａは、当て板１５１ａと一体に形成されていることが望ましい。また、いずれの場合も、位置決め部材１４０ａは、器具本体１０１の多角形の各辺に対して１つずつ器具本体１０１に取り付けられることが望ましい。なお、位置決め部材１４０ａは、その多角形の少なくとも１つの辺に対して少なくとも１つ器具本体１０１に取り付けられていればよい。その場合でも、少なくとも１つの方向においては器具本体１０１の位置ずれを抑制することができる。位置決め部材１４０ｂについても、位置決め部材１４０ａと同様である。
【０１１６】
また、本実施の形態では、位置決め部材１４０ａと位置決め部材１４０ｂという２種類の位置決め部材が器具本体１０１に取り付けられているが、いずれか１種類の位置決め部材のみが器具本体１０１に取り付けられていてもよい。
【０１１７】
本実施の形態では、隣接する枠部材１５０ａ同士を連結する当て板１５１ａと、当て板１５１ａの内側側辺から垂直方向へ突き出た位置決め部材１４０ａとからなる位置決め当て板が、器具本体１０１の四隅に取り付けられている。それぞれの位置決め部材１４０ａは、傾斜面１４２が形成された部分と、対応する辺と平行な面である対向面１４１が形成された部分とからなるが、図３７に示すように、さらに、対応する辺に隣接する辺と平行な面である対向面１４３が形成された部分を備えていてもよい。この場合、器具本体１０１の四隅に取り付けられている位置決め部材１４０ａの２つの対向面１４１，１４３が、被取り付け部の埋め込み穴９０１に器具本体１０１の一部が埋め込まれている状態で、埋め込み穴９０１の２つの壁面に接するか、又は、少なくとも対向する。このため、本実施の形態によれば、器具本体１０１の位置ずれを、より確実に防止することができる。
【０１１８】
実施の形態４．
本実施の形態に係る装置の構成、本実施の形態の効果を順番に説明する。主に実施の形態３との差異を説明する。
【０１１９】
＊＊＊構成の説明＊＊＊
図３８を参照して、本実施の形態に係る装置である照明装置１００の構成を説明する。図３８は、天井である被取り付け部に取り付けられた照明装置１００の一部の断面を示す図である。
【０１２０】
器具本体１０１の側面部１２０は、実施の形態３では、本体面部１１０の側辺より垂直に形成されているが、本実施の形態では、本体面部１１０の側辺より外方向へ斜めに形成された傾斜部１２１と、傾斜部１２１の下端から天井材９００に対して垂直に延びている位置決め部１２４とで構成されている。
【０１２１】
位置決め部１２４は、外部の埋め込み穴９０１に器具本体１０１の一部が埋め込まれている状態で、埋め込み穴９０１における器具本体１０１の位置決めのために埋め込み穴９０１の壁面に対向する対向面１２５を有する。即ち、本実施の形態では、器具本体１０１が、埋め込み穴９０１の壁面に接するか、又は、少なくとも対向している対向面１２５を有する。このため、本実施の形態によれば、器具本体１０１の位置ずれを抑制することができる。
【０１２２】
＊＊＊実施の形態の効果の説明＊＊＊
本実施の形態では、実施の形態３のような位置決め部材１４０ａ，１４０ｂが不要となる。
【０１２３】
以上、本発明の実施の形態１〜４について説明したが、これらの実施の形態のうち、いくつかを組み合わせて実施しても構わない。或いは、これらの実施の形態のうち、いずれか１つ又はいくつかを部分的に実施しても構わない。具体的には、これらの実施の形態の説明において「部」として説明するもののうち、いずれか１つのみを採用してもよいし、いくつかの任意の組み合わせを採用してもよい。なお、本発明は、これらの実施の形態に限定されるものではなく、必要に応じて種々の変更が可能である。
【符号の説明】
【０１２４】
１００  照明装置、１０１  器具本体、１０２  端子台設置面、１１０  本体面部、１１１  引き込み孔、１１２  挿入孔、１２０  側面部、１２１  傾斜部、１２２  水平受け部、１２３  光源受け部、１２４  位置決め部、１２５  対向面、１３０  端子台、１４０  位置決め部材、１４０ａ  位置決め部材、１４０ｂ  位置決め部材、１４０ｃ  位置決め部材、１４１  対向面、１４２  傾斜面、１４３  対向面、１５０  枠部材、１５０ａ  枠部材、１５１  当て板、１５１ａ  当て板、１５２  当て板、１６０  枠体、１６１  水平面部、１６２  垂直面部、１６３  鍔部、１６４  傾斜部、１７１  第１面、１７２  第２面、１７３  空間、２００  固定機構、２１０  バネ部材、２１１  円弧部、２１２  固定部、２１３  先端部、２２０  爪付き部材、２２１  爪、２２２  係止部、２３０  穴開き部材、２３１  穴、２４０  引っ掛け部材、２４１  先端部、２４２  折れ曲がり部、２４３  斜行部、２４４  幅広部、２５０  摺動部材、２５１  誘導部、２６０  押さえ部材、２６１  押圧部、２６２  上面部、２６３  支点部、２６４  背面部、２６５  スリット、２６６  穴、３００  光源ユニット、３０１  光源設置面、３０２  点灯装置設置面、３０３  側面、３１０  はみ出し部、４００  ＬＥＤモジュール、５００  モジュール取り付け部、５１０  取り付け正面部、５１１  溝部、５２０  カバー受け部、５２１  内側側面部、５２２  水平側面部、５２３  外側側面部、５２４  挿通孔、６００  カバー部、６１０  カバー正面部、６２０  カバー側面部、６２１  カバー固定孔、６３０  凸部、７００  固定金具、７１０  固定正面部、７２０  段差部、７３０  固定爪部、８００  点灯装置、９００  天井材、９０１  埋め込み穴。
【図１】
2019186234.tif 000003
【図２】
2019186234.tif 000004
【図３】
2019186234.tif 000005
【図４】
2019186234.tif 000006
【図５】
2019186234.tif 000007
【図６】
2019186234.tif 000008
【図７】
2019186234.tif 000009
【図８】
2019186234.tif 000010
【図９】
2019186234.tif 000011
【図１０】
2019186234.tif 000012
【図１１】
2019186234.tif 000013
【図１２】
2019186234.tif 000014
【図１３】
2019186234.tif 000015
【図１４】
2019186234.tif 000016
【図１５】
2019186234.tif 000017
【図１６】
2019186234.tif 000018
【図１７】
2019186234.tif 000019
【図１８】
2019186234.tif 000020
【図１９】
2019186234.tif 000021
【図２０】
2019186234.tif 000022
【図２１】
2019186234.tif 000023
【図２２】
2019186234.tif 000024
【図２３】
2019186234.tif 000025
【図２４】
2019186234.tif 000026
【図２５】
2019186234.tif 000027
【図２６】
2019186234.tif 000028
【図２７】
2019186234.tif 000029
【図２８】
2019186234.tif 000030
【図２９】
2019186234.tif 000031
【図３０】
2019186234.tif 000032
【図３１】
2019186234.tif 000033
【図３２】
2019186234.tif 000034
【図３３】
2019186234.tif 000035
【図３４】
2019186234.tif 000036
【図３５】
2019186234.tif 000037
【図３６】
2019186234.tif 000038
【図３７】
2019186234.tif 000039
【図３８】
2019186234.tif 000040